(57)【要約】【課題】書類を収納する紙製の紙挟みであって、使用し易く、かつ、取扱時に書類の飛出し、脱落を確実に防止できる紙挟みを提供する。【解決手段】紙挟みは、型取りされた原形シートに折り加工および溶着加工を施して各四角形の表表紙１と裏表紙２が形成された樹脂製の紙挟みであり、見開き状態において、表表紙１及び裏表紙２の各下端外側の角部側には、各々、左ポケット３及び右ポケット４が設けられ、表表紙１と裏表紙２の境界である谷折部７０の上端部には、舌片状のストッパー５が設けられる。ストッパー５は、原形シートの上縁部の中央から突出するストッパー形成片５ａを谷折に折り返し且つ更に谷折部７０に沿わせて谷折に折り返して構成され、しかも、表表紙１と裏表紙２に跨がって形成される。【選択図】図１
2011148105.tif 000002
【特許請求の範囲】
【請求項１】
型取りされた原形シートに折り加工および溶着加工を施して各四角形の表表紙と裏表紙が形成された樹脂製の紙挟みであって、見開き状態において、前記表表紙および裏表紙の各下端外側の角部側には、各々、左ポケット及び右ポケットが設けられ、かつ、前記表表紙と前記裏表紙の境界である谷折部の上端部には、舌片状のストッパーが設けられており、当該ストッパーは、前記原形シートの上縁部の中央から突出するストッパー形成片を前記上縁部に沿わせて谷折に折り返し且つ更に前記谷折部に沿わせて谷折に折り返して構成され、前記表表紙と前記裏表紙に跨がって形成されていることを特徴とする紙挟み。
【請求項２】
原形シートが、打抜き加工された１枚のシートから成る請求項１に記載の紙挟み。
【請求項３】
左ポケットは、原形シートにおける表表紙の下縁部から張出されて当該表表紙の縦縁部から略直線状にその縦縁部が伸びる左ポケット形成片を前記表表紙の下縁部に沿わせて谷折に折り返すと共に、前記表表紙の縦縁部から張出されて谷折に折り返された左ポケット綴代片を前記左ポケット形成片の縦縁部に溶着して構成され、右ポケットは、原形シートにおける裏表紙の下縁部から張出されて当該裏表紙の縦縁部から略直線状にその縦縁部が伸びる右ポケット形成片を前記裏表紙の下縁部に沿わせて谷折に折り返すと共に、前記裏表紙の縦縁部から張出されて谷折に折り返された右ポケット綴代片を前記右ポケット形成片の縦縁部に溶着して構成され、かつ、前記表表紙と前記裏表紙の境界である谷折部、前記左ポケット形成片および前記右ポケット形成片の谷折部、前記左ポケット綴代片および右ポケット綴代片の谷折部、ならびに、ストッパー形成片の谷折部には、各々、３本の折返し溝が形成されている請求項１又は２に記載の紙挟み。
【発明の詳細な説明】
【技術分野】
【０００１】
本発明は、紙挟みに関するものであり、詳しくは、説明書、案内書、企画書などの書類を収納する紙挟みに関するものである。
【背景技術】
【０００２】
紙挟みは、書類入れ、ペーパーホルダー、フォルダー、ファイル、バインダー等の呼称で知られている周知の文房具であり、説明書、案内書、企画書などの各種の書類や図面（以下、「書類」と言う。）を綺麗な状態で保管、移動するために使用される。昨今、紙挟みは、製造コストを低減し且つ耐久性を高める観点から、樹脂シートにより構成されている。
【０００３】
上記の紙挟みは、型取りされた原形シートを中央部で折り曲げて各四角形に形成した表表紙と裏表紙を備えており、表表紙や裏表紙の内側面にポケットを設けたり、表表紙の内側面の上端中央部または左縁部に舌片状のストッパーを付設し、ポケットやストッパーに書類の一部を挟み込むことにより、書類の脱落を防止するようにしている。更に、ポケットやストッパーを帯電材料で構成し、静電気の吸着作用によって書類の飛出しを防止する方法も提案されている。
【先行技術文献】
【特許文献】
【０００４】
【特許文献１】特開２０００−７１６６３号公報
【特許文献２】特開２００７−７６３５１号公報
【発明の概要】
【発明が解決しようとする課題】
【０００５】
ところで、樹脂製の紙挟みにおいては、その材料構成や書類の紙質、使用状態によっては静電気の吸着作用を十分に発揮できないため、確実に書類の飛出しを防止し得る構造上の改良が望まれる。そこで、ポケット及びストッパーの両方を設けることが考えられるが、ポケット及びストッパーを設けた場合には、閉じたストッパーを一旦開いた状態に保持してポケットに書類を差し込まなければならないため、使用し難く、また、使用頻度に応じてストッパーに開き癖がつき、書類が飛び出し易くなる。
【０００６】
本発明は、上記の実情に鑑みてなされたものであり、その目的は、書類を収納する紙製の紙挟みであって、使用し易く、かつ、取扱時に書類の飛出し、脱落を確実に防止できる紙挟みを提供することにある。
【課題を解決するための手段】
【０００７】
上記の課題を解決するため、本発明においては、四角形の表表紙と裏表紙の内側面の下端外側の角部側にそれぞれ左ポケット及び右ポケットを設けることにより、書類の下端部および外角部を保持し、書類の下方および側方への脱落を規制すると共に、表表紙と裏表紙の境界である谷折部の上端部に折畳み構造の舌片状のストッパーを表表紙と裏表紙に跨がって設けることにより、ストッパーを折り畳んだ状態において書類の上縁部を保持し、書類の上方への飛出しを規制するようにした。
【０００８】
すなわち、本発明の要旨は、型取りされた原形シートに折り加工および溶着加工を施して各四角形の表表紙と裏表紙が形成された樹脂製の紙挟みであって、見開き状態において、前記表表紙および裏表紙の各下端外側の角部側には、各々、左ポケット及び右ポケットが設けられ、かつ、前記表表紙と前記裏表紙の境界である谷折部の上端部には、舌片状のストッパーが設けられており、当該ストッパーは、前記原形シートの上縁部の中央から突出するストッパー形成片を前記上縁部に沿わせて谷折に折り返し且つ更に前記谷折部に沿わせて谷折に折り返して構成され、前記表表紙と前記裏表紙に跨がって形成されていることを特徴とする紙挟みに存する。
【発明の効果】
【０００９】
本発明に係る紙挟みによれば、見開き状態の表表紙および裏表紙に書類の角部を収める左ポケット及び右ポケットが設けられ、表表紙と裏表紙の境界である谷折部の上端部に折畳み構造の舌片状のストッパーが表表紙と裏表紙に跨がって設けられているため、左ポケット及び右ポケットに書類の下端側角部を差し込み、ストッパーを書類の上縁部に被せて表表紙と裏表紙を折り畳むだけで、簡単に書類を収納でき、そして、収納後は、書類の各方向への飛出し、脱落を確実に防止することが出来る。
【図面の簡単な説明】
【００１０】
【図１】本発明に係る紙挟みの構造を示す見開いた状態の斜視図である。
【図２】本発明に係る紙挟みの折り加工前の原形シートの一例を示した平面図である。
【図３】図２の原形シートにおける折返し部分の構造を部分的に示す平面図である。
【発明を実施するための形態】
【００１１】
本発明の紙挟みは、図２に示すような所定の形状に型取りされた原形シートＳに折り加工および溶着加工を施して構成された樹脂製の紙挟みであり、図１に示すように、各四角形に形成された表表紙１と裏表紙２を備えている。図２は、折り加工前の本体構成部材としての原形シートＳを内側面から視た図であり、図中の符号７０〜７６は、折り加工の際に使用される折返し部分としての谷折部を示している。
【００１２】
本発明の紙挟みの構成材料、換言すれば、原形シートＳを構成する樹脂としては、成形性、コスト、環境への影響を考慮し、ポリプロピレン、ポリエチレン等のポリオレフィンが使用され、特に、適度な剛性と柔軟性を得る観点から、ポリプロピレンが好適に使用される。斯かる樹脂は、透明性の樹脂でもよいし、着色された樹脂でもよい。原形シートＳの厚さは、剛性、耐久性、コスト等を勘案して設定され、通常は０．２〜０．５ｍｍ、好ましくは０．３〜０．４ｍｍとされる。
【００１３】
図２に示すように、原形シートＳは、打抜き加工された１枚のシートであり、表表紙１と裏表紙２は、原形シートＳの中央部に折り加工を施すことにより、通常は同一の平面寸法に形成される。符号７０は、表表紙１と裏表紙２の境界として折り加工が施される谷折部を示している。表表紙１及び裏表紙２の各大きさは、例えば、１枚または半折した状態の用紙サイズでＡ４判の書類を収納する場合、縦が３０５〜３１５ｍｍ、横が２１５〜２２５ｍｍに設定され、同様の用紙サイズでＢ５判の書類を収納する場合、縦が２５５〜２６５ｍｍ、横が１８５〜１９５ｍｍに設定される。
【００１４】
本発明の紙挟みは、機能性を高めるために図１に示す様な構造を備えている。すなわち、本発明の紙挟みにおいては、見開き状態（表表紙１及び裏表紙２の内面を見せた状態）において、書類を挟み込むため、表表紙１及び裏表紙２の各下端外側の角部側には、各々、左ポケット３及び右ポケット４が設けられる。そして、上部への書類の飛出しを防止するため、表表紙１と裏表紙２の境界である上記の谷折部７０の上端部には、舌片状のストッパー５が設けられる。
【００１５】
表表紙１の左ポケット３は、表表紙１の左側の下端角部を含み且つ表表紙１の左縦縁部と下縁部とに繋げられて構成される。また、裏表紙２の右ポケット４は、裏表紙２の右側の下端角部を含み且つ裏表紙２の右縦縁部と下縁部とに繋げられて構成される。左ポケット３及び右ポケット４は、例えば、上記の各下端角部を中心に９０°に開かれた扇状に形成される。上記の様に、表表紙１及び裏表紙２の各下端角部側に左ポケット３、右ポケット４を設けることにより、書類の下方および側方への脱落を防止し、かつ、表表紙１及び裏表紙２の下端部と側縁部の剛性を高めることが出来る。
【００１６】
更に、図示を省略するが、左ポケット３及び／又は右ポケット４には、情報媒体やカードを差し込むための切込が設けられてもよい。例えば、表表紙１の左ポケット３には、会員登録証などの小型の書類やカードを差し込むための切込が設けられ、裏表紙２の右ポケット４には、ＣＤやＤＶＤを差し込むための切込が設けられる。
【００１７】
本発明においては、書類の上方への飛出しを防止するため、ストッパー５は、図２に示すように、原形シートＳに形成されたストッパー形成片５ａを折り返すことにより形成される。具体的には、原形シートＳの上縁部の中央から突出するストッパー形成片５ａを前記の上縁部に沿わせて谷折に折り返し、かつ、折り返した状態で更に前述の谷折部７０に沿わせて谷折に折り返して構成される。すなわち、ストッパー５は、ストッパー形成片５ａを表表紙１及び裏表紙２の内面側へ向けて谷折部７５で折り曲げ、その状態で表表紙１と裏表紙２を折り畳む際に谷折部７０と共にストッパー形成片５ａを更に谷折部７６で折り曲げることにより、表表紙１と裏表紙２に跨がって形成されている。なお、谷折部７６は、ストッパー形成片５ａを内側に折り返した状態において谷折りされる部位である。
【００１８】
見開いた状態におけるストッパー５、換言すれば、折り畳む前のストッパー形成片５ａは、四角形などの適宜の形状に形成できるが、例えば、前述の谷折部７０の上端を中心とする略半円形又は半楕円形に形成に形成される。表表紙１及び裏表紙２の上縁に沿った方向（図２における左右方向）のストッパー５の幅は、表表紙１から裏表紙２に亘る上縁の長さの２３〜４１％に設定され、また、谷折部７０に沿った方向（図２における縦方向）ストッパー５の高さは、谷折部７０の長さ（表表紙１及び裏表紙２の縦方向の長さ）の１３〜１９％に設定される。Ａ４判を収納する紙挟みの場合、ストッパー５の幅は１００〜１８０ｍｍ程度であり、ストッパー５の高さは４０〜６０ｍｍ程度である。
【００１９】
ストッパー５の大きさを上記の範囲に規定する理由は次の通りである。すなわち、ストッパー５の幅が上縁の長さの２３％未満の場合は、ストッパー５の大きさに比べて谷折部７６の剛性が大きくなり、折り畳み難くなる。また、ストッパー５の幅が上縁の長さの４１％を超えた場合は、ストッパー５が大きくなり過ぎて、書類を収納する際にストッパー５で書類を挟み難くなる。一方、ストッパー５の高さが谷折部７０の長さの１３％未満の場合は、規格よりも小さな書類を収納した場合に当該書類がストッパー５から外れる虞があり、また、ストッパー５の高さが谷折部７０の長さの１９％を超えた場合は、ストッパー５が大きくなり過ぎて開閉操作がし難くなる。
【００２０】
本発明の紙挟みは、原材料の樹脂シートに打抜き加工を施して原形シートＳを作成した後、当該原形シートに折り加工および溶着加工を施すことにより左ポケット３及び右ポケット４を形成して製造される。打抜き加工は、周知の通り、ビクトリア打抜機、平盤打抜機、ロータリダイカッタ等の打抜機を使用して行われる。すなわち、原形シートＳは、打抜き加工された１枚のシートから成る。
【００２１】
図２に示すように、左ポケット３は、原形シートＳにおける表表紙１の下縁部から下方に張出されて当該表表紙の縦縁部から略直線状にその縦縁部が伸びる左ポケット形成片３ａを表表紙１の下縁部に沿わせて谷折（内側）に折り返すと共に、表表紙１の縦縁部から左側方に張出されて谷折（内側）に折り返された左ポケット綴代片６を前記の左ポケット形成片３ａの縦縁部に溶着して構成される。符号７１は、左ポケット形成片３ａの折返し部分である谷折部を表し、符号７３は、左ポケット綴代片６の折返し部分である谷折部を表している。
【００２２】
また、左ポケット３と同様に、右ポケット４は、原形シートＳにおける裏表紙２の下縁部から下方に張出されて当該裏表紙の縦縁部から略直線状にその縦縁部が伸びる右ポケット形成片４ａを裏表紙２の下縁部に沿わせて谷折（内側）に折り返すと共に、裏表紙２の縦縁部から右側方に張出されて谷折（内側）に折り返された右ポケット綴代片８を前記の右ポケット形成片４ａの縦縁部に溶着して構成される。符号７２は、右ポケット形成片４ａの折返し部分である谷折部を表し、符号７４は、右ポケット綴代片８の折返し部分である谷折部を表している。
【００２３】
更に、図２及び図３に示すように、本発明においては、前述の打抜き加工の際、各折返し部分には、各々、３本の折返し溝が形成される。すなわち、表表紙１と裏表紙２の境界である谷折部７０、左ポケット形成片３ａ及び右ポケット形成片４ａの谷折部７１及び７２、左ポケット綴代片６及び右ポケット綴代片８の谷折部７３及び７４、ならびに、ストッパー形成片５ａの谷折部７５及び７６には、各々、３本の折返し溝が形成されている。図示しないが、これらの折返し溝は、その伸長方向に直行する断面をＶ字状または凹状に形成され、２．５〜３．５ｍｍのピッチで平行に３本を１組として設けられる。本発明においては、各谷折部７０〜７６に上記のような折返し溝を設けることにより、折り加工を容易にすると共に、使用した際に厚さのある複数枚の書類を左ポケット３及び右ポケット４に安定して収納でき、書類の上端部へストッパー５を確実に被せることが出来る。
【００２４】
本発明の紙挟みを使用する場合には、図１に示すように表表紙１と裏表紙２を見開いた状態において、先ず、Ａ４判（又は見開きでＡ３判）、Ｂ５判（又は見開きでＢ４判）等の書類（図示省略）の下端側の角部側を表表紙１の左ポケット３及び／又は裏表紙２の右ポケット４に差し込む。次いで、開いた状態のストッパー５を書類の上縁部へ被せるように折り畳み、そして、谷折部７６で更にストッパー５を折り畳むようにして表表紙１と裏表紙２を閉じる。
【００２５】
上記のように書類を収納して書棚や引出に保管し或いは移動させた場合、本発明の紙挟みにおいては、表表紙１と裏表紙２の内側面にそれぞれ設けられた左ポケット３及び右ポケット４が書類の下端部および外角部を保持し、書類の下方および側方への脱落を規制する。また、谷折部７０の上端部に表表紙１と裏表紙２に跨がって設けられた折畳み構造の舌片状のストッパー５が書類の上縁部を保持し、書類の飛出しを規制する。特に、２つの谷折部７５及び７６で二重に折り畳まれたストッパー５は、例えばＡ３判やＢ４判の見開きの書類に対し、その中央上部の折畳み部分を立体的に挟持するため、書類の滑りを一層確実に規制することが出来る。
【００２６】
従って、本発明によれば、左ポケット３及び右ポケット４に書類の下端側角部を差し込み、ストッパー５を書類の上縁部に被せて表表紙１と裏表紙２を折り畳むだけで、簡単に書類を収納でき、そして、収納後は、書類の各方向への飛出し、脱落を確実に防止することが出来る。
【符号の説明】
【００２７】
１  ：表表紙
２  ：裏表紙
３  ：左ポケット
３ａ：左ポケット形成片
４  ：右ポケット
４ａ：右ポケット形成片
５  ：ストッパー
５ａ：ストッパー形成片
６  ：左ポケット綴代片
７０〜７５：谷折部
７６：谷折部
８  ：右ポケット綴代片
Ｓ  ：原形シート
【図１】
2011148105.tif 000003
【図２】
2011148105.tif 000004
【図３】
2011148105.tif 000005